(57)【要約】      （修正有）【課題】使用者が車輪装飾部材とキャスターカバー装飾部材を取り付け、または取り替えることにより、スーツケースの外観を美化して目を引くようにすると同時に、識別性や安全保護性を高められる、取り替え可能な装飾部材を用いたスーツケースのキャスター構造を提供する。【解決手段】取り替え可能な装飾部材を用いたスーツケースのキャスター構造は、スーツケース底部に取り付けられたキャスターカバー４０、キャスターベース３０および少なくとも１個の車輪１０を含み、車輪１０の外側面には車輪装飾部材１２を組み付けて覆いをすることができ、これと同様に、キャスターカバー４０外側面には装飾部を設けて、キャスターカバー装飾部材４２を組み付けて覆いをすることができる。【選択図】図２
0003192838.tif 000002
【実用新案登録請求の範囲】
【請求項１】
少なくとも１個の車輪、キャスターベースおよびキャスターカバーを含み、前記車輪は前記キャスターベースの末端に枢設され、前記キャスターカバーは前記キャスターベースの頂部から延長して前記車輪上方を覆う、取り替え可能な装飾部材を用いたスーツケースのキャスター構造において、
前記車輪の外側面には車輪装飾部材を組み付けて覆いをし、
キャスターカバーの外側面には凹んだ装飾部を設けてキャスターカバー装飾部材を組み付けて覆いをすることを特徴とする、
取り替え可能な装飾部材を用いたスーツケースのキャスター構造。
【請求項２】
前記車輪の数量は２個であり、前記２個の車輪は前記キャスターベースの末端の両側にそれぞれ枢設される、請求項１に記載の取り替え可能な装飾部材を用いたスーツケースのキャスター構造。
【請求項３】
前記車輪装飾部材は前記車輪の外側面に締結固定、嵌合または粘着される、請求項１に記載の取り替え可能な装飾部材を用いたスーツケースのキャスター構造。
【請求項４】
前記車輪外側面には内円形凹部が形成され、前記車輪装飾部材の辺縁は前記内円形凹部の辺縁と嵌合する、請求項１に記載の取り替え可能な装飾部材を用いたスーツケースのキャスター構造。
【請求項５】
前記車輪装飾部材は前記内円形凹部の側壁に接合して辺縁が凹状を成し、相対する前記内円形凹部の底部は中心が隆起した形状を成す、請求項４に記載の取り替え可能な装飾部材を用いたスーツケースのキャスター構造。
【請求項６】
前記キャスターカバー装飾部材は前記装飾部表面に締結固定、嵌合または粘着される、請求項１に記載の取り替え可能な装飾部材を用いたスーツケースのキャスター構造。
【請求項７】
前記車輪装飾部材は金属構造である、請求項１に記載の取り替え可能な装飾部材を用いたスーツケースのキャスター構造。
【請求項８】
前記キャスターカバー装飾部材は衝突防止緩衝構造である、請求項１に記載の取り替え可能な装飾部材を用いたスーツケースのキャスター構造。
【請求項９】
前記キャスターカバー装飾部材表面には複数の円形または多辺形の穴を有する、請求項１に記載の取り替え可能な装飾部材を用いたスーツケースのキャスター構造。
【考案の詳細な説明】
【技術分野】
【０００１】
本考案はスーツケースに関するものであって、特に、取り替え可能な装飾部材を用いたスーツケースのキャスター構造に関するものである。
【背景技術】
【０００２】
先行技術のスーツケースは車輪とキャスターカバーのキャスター構造を含み、通常は平板で単調、かつデザイン性に乏しいように見える。使用者は自分で装飾するか（たとえばシールやテープを用いる）または模様をペイントする方法でキャスター構造の表面に装飾を施すことはできるが、キャスター構造はスーツケース底部の角に取り付けられるので、頻繁な摩擦や衝突により、キャスター構造表面の装飾や模様が剥がれ落ちやすく、また、使用者がキャスター構造表面にすでに施した装飾や模様を取り外したり取り替えたりするのは容易ではなく、非常に不便である。
【考案の概要】
【考案が解決しようとする課題】
【０００３】
そこで本考案は、上述の先行技術の欠点を克服するのに有効な、取り替え可能な装飾部材を用いたスーツケースのキャスター構造を提案する。
【０００４】
本考案の主な目的は、使用者が異なるデザインの装飾部材を用いて車輪とキャスターカバーに装飾を施すことができ、外観を美化し、目を引く作用を有し、美観と安全性のニーズに応じることができる、取り替え可能な装飾部材を用いたスーツケースのキャスター構造を提供することにある。
【課題を解決するための手段】
【０００５】
上述の目的を達成するため、本考案で開示する取り替え可能な装飾部材を用いたスーツケースのキャスター構造は、１個または複数の車輪、キャスターベースおよびキャスターカバーを含み、車輪はキャスターベースの末端に枢設され、車輪は押されるとキャスターベースに相対して自由に回転し、キャスターカバーはキャスターベースの頂部から延長して車輪上方を覆い、車輪外側面には車輪装飾部材を組み付けて覆いをし、キャスターカバー外側面には凹んだ装飾部を設けて、キャスターカバー装飾部材を組み付けて覆う。
車輪装飾部材とキャスターカバー装飾部材の取り付け方法には、締結固定、嵌合または粘着方式を用いるので、使用者は容易に異なるデザインの装飾に取り替えることができ、新しく美しいデザインにできるだけでなく、識別性および安全性も兼ね備えられる。また、車輪装飾部材とキャスターカバー装飾部材は保護機能または緩衝機能も備える。たとえば、車輪装飾部材は金属構造であり、キャスターカバー装飾部材は衝突防止緩衝構造を有する。このように本考案の取り替え可能な装飾部材を用いたスーツケースのキャスター構造は、外観を美化できるだけでなく、十分な機能性も得られる。
【考案の効果】
【０００６】
本考案で開示する取り替え可能な装飾部材を用いたスーツケースのキャスター構造は、その車輪とキャスターカバーの外側面に車輪装飾部材とキャスターカバー装飾部材をそれぞれ組み付けるものであり、簡単な嵌合または粘着方式のみで使用者が容易に自分で各種異なるデザインの車輪装飾部材とキャスターカバー装飾部材を取り付けたり取り外したりできるので、外観の美しさが増すだけでなく、もちろん識別性と安全性を高めるのにも役立つ。
また、車輪装飾部材とキャスターカバー装飾部材の材質の選択により、保護または緩衝等他の機能も得られる。このように、平板で単調な従来のスーツケースに対し、本考案は新しく進歩性のある物となる。
【図面の簡単な説明】
【０００７】
【図１】本考案で開示した取り替え可能な装飾部材を用いたスーツケースのキャスター構造の外観を示す図。
【図２】本考案で開示した取り替え可能な装飾部材を用いたスーツケースのキャスター構造において車輪装飾部材とキャスターカバー装飾部材を組み付けた後の側面を示す図。
【図３】本考案で開示した取り替え可能な装飾部材を用いたスーツケースのキャスター構造の背面を示す図。
【考案を実施するための形態】
【０００８】
本考案の目的、特徴および効果の更なる理解と認識のため、以下に図面を参照しながら詳細に説明する。
【実施例】
【０００９】
図１は本考案で開示した取り替え可能な装飾部材を用いたスーツケースのキャスター構造の外観を示す図であり、図２は同キャスター構造の側面を示す図であり、図３は同キャスター構造の背面を示す図であり、図２は車輪装飾部材とキャスターカバー装飾部材を組み付けた後の状態を示す。
【００１０】
本考案で開示する取り替え可能な装飾部材を用いたスーツケースのキャスター構造は、主に車輪１０、車輪２０、キャスターベース３０およびキャスターカバー４０から構成される。キャスターカバー４０はスーツケース（図中未表示）底部に接続され、キャスターベース３０はキャスターカバー４０底部に接続され下に延長し、キャスターベース３０の末端両側には車輪１０と車輪２０を枢設する。
使用者は押すことにより車輪１０と車輪２０をキャスターベース３０に相対して自由に回転させて、スーツケースを移動することができる。また、キャスターカバー４０はキャスターベース３０頂部から外側に延長し、車輪１０と車輪２０の上方に突出した長い側板を形成し、使用者の足が車輪１０と車輪２０に衝突したりひかれたりして怪我をする事態を防止する。
【００１１】
応用として、車輪１０または車輪２０の数は１個でも複数個でもよく、本考案では２個の車輪１０、２０を例に挙げる。車輪１０と車輪２０は同じ構造特徴を有するので、代表として車輪１０についてさらに以下のとおり説明する。
【００１２】
本考案の車輪１０外側面には内円形凹部１１が形成され、ここに車輪装飾部材１２を組み付けて覆いをする。これと同様に、キャスターカバー４０外側面にも凹んだ装飾部が設けられ、ここにキャスターカバー装飾部材４２を組み付けて覆いをする。
図２が示すように、車輪装飾部材１２とキャスターカバー装飾部材４２を組み付けたあと、それぞれ内円形凹部１１と装飾部４１は覆われる。車輪装飾部材１２とキャスターカバー装飾部材４２の取り付け方法には嵌合または粘着方式を用い、当然ネジを利用した締結方式を用いることもできる。したがって、使用者は容易に各種異なるデザインの装飾に取り替えることができ、スーツケースの外観が美化され、さらに目を引くものとなり、また識別性や安全保護効果も高められる。
【００１３】
本考案では車輪装飾部材１２を車輪１０に容易に取り付けるために、車輪装飾部材１２の辺縁と内円形凹部１１の辺縁を互いに嵌合する。車輪装飾部材１２の辺縁は内円形凹部１１の側壁に接合して凹状を成し、車輪装飾部材１２の中心部分は内円形凹部１１の底部が隆起した形状を成す（図３からはっきりわかる）。この設計は車輪装飾部材１２の凹状の構造により使用者が位置を合わせて嵌めやすくするために成されたもので、嵌合または接合の効果をより高め、取り付け、または取り外し、取り替えに有利である。
【００１４】
また、車輪装飾部材１２とキャスターカバー装飾部材４２は保護および緩衝等といった多機能を備える。たとえば、車輪装飾部材１２には頑丈で耐摩耗性を有する金属構造を用いることができ、車輪１０外側面は保護されて汚損が防止でき、手入れも容易であり、さらに、異物が車輪１０に絡まり故障する事態も防げる。
特に、本考案の車輪装飾部材１２表面には複数の円形または多辺形の穴１４をさらに有し、金属構造と組み合わさると光を反射する特性を備えるので、非常に人の視線を引き付ける視覚効果を生み、高い識別性を有し、スーツケースの安全性とプライバシーも高められる。他にも、キャスターカバー装飾部材４２は一定の厚さの衝突防止緩衝構造を有する設計により、使用者の足に衝突して痛い思いをしたり怪我をしたりする事態を回避できると同時に、スーツケースが倒れてしまった時に表面が傷つくのも防止できる。
【００１５】
本考案では上述のとおり実施例を開示したが、これは本考案を限定するものではない。本考案の精神と範囲内で加えた各種の変更や潤色はすべて、本考案の実用新案登録請求の範囲内に含まれる。本考案の実用新案登録請求の範囲は別紙を参照されたい。
【符号の説明】
【００１６】
１０  車輪
１１  内円形凹部
１２  車輪装飾部材
１３  穴
２０  車輪
３０  キャスターベース
４０  キャスターカバー
４１  装飾部
４２  キャスターカバー装飾部材
【図１】
0003192838.tif 000003
【図２】
0003192838.tif 000004
【図３】
0003192838.tif 000005